(57)【要約】【課題】インターホン通話用の音声増幅回路と音声合成回路用の音声増幅回路とが共通である場合に、インターホン通話用の音声増幅回路を制御することで、発生するビート波を復調しないようにしてノイズ音の発生を防止する給湯器用リモコンシステム及びそれを備えた給湯器制御装置及びインターホン通話方法を提供する。【解決手段】給湯器用リモコンシステムを構成する各リモコン（台所リモコン２０、浴室リモコン３０）には、インターホンの音声信号搬送波の有無を監視する機能を備えたＦＭ復調部２４ｂと、音声信号を増幅するために使用される演算増幅部２４ｃと、音声信号の増幅を行う音声増幅部２４ｄとを備え、ＦＭ復調部２４ｂで音声信号搬送波を検出しない間は演算増幅部２４ｃを動作させないようにしてインターホン通話回線を待機状態にしておき、ＦＭ復調部２４ｂで音声信号搬送波を検出したときに演算増幅部２４ｃを動作させて、インターホン通話回線を開通させる。【選択図】図１
2006174360.tif 000002
【特許請求の範囲】
【請求項１】
インターホンの音声信号を変調して得た音声信号搬送波と給湯器の運転信号を変調して得た運転信号搬送波とを同一の信号線に重畳して送受信し、インターホンの通話制御と給湯器の運転制御とを行う給湯器用リモコンシステムであって、
該給湯器用リモコンシステムは複数のリモコンで構成されており、
各リモコンに、
音声信号搬送波を音声信号に復調するためのＦＭ復調部と、
前記ＦＭ復調部で復調された音声信号を増幅するための演算増幅部と、
前記演算増幅部の動作を制御することでインターホン通話回線の開通を制御する制御部とを備えたことを特徴とする給湯器用リモコンシステム。
【請求項２】
運転信号搬送波を出力した送り手側リモコンの制御部は、
受け手側リモコンからの音声信号搬送波を待って前記送り手側リモコンの演算増幅部をＯＮすることを特徴とする請求項１に記載の給湯器用リモコンシステム。
【請求項３】
前記受け手側リモコンは、
前記送り手側リモコンから出力された運転信号搬送波が入力されると、前記送り手側リモコンに向けて音声信号搬送波を出力することを特徴とする請求項１に記載の給湯器用リモコンシステム。
【請求項４】
前記ＦＭ復調部は、
リモコンから出力される音声信号搬送波の有無を監視する機能を備えており、
前記受け手側リモコンから出力された音声信号搬送波が入力されると、前記送り手側リモコンの制御部に向けて音声信号搬送波の検出信号を出力することを特徴とする請求項１に記載の給湯器用リモコンシステム。
【請求項５】
前記送り手側リモコンの制御部は、
前記検出信号が入力されると、演算増幅部をＯＮさせてインターホン通話回線を開通することを特徴とする請求項１に記載の給湯器用リモコンシステム。
【請求項６】
前記請求項１〜５のいずれかに記載の給湯器用リモコンシステムを備えた給湯器制御装置。
【請求項７】
インターホンの音声信号を変調して得た音声信号搬送波と給湯器の運転信号を変調して得た運転信号搬送波とを同一の信号線に重畳して送受信し、インターホンの通話制御と給湯器の運転制御とを行う給湯器用リモコンシステム間のインターホン通話制御方法であって、
各リモコンは、
音声信号搬送波を音声信号に復調するためのＦＭ復調部と、
前記ＦＭ復調部で復調された音声信号を増幅するための演算増幅部と、
前記演算増幅部の動作を制御することでインターホン通話回線の開通を制御する制御部とを備え、
送り手側リモコンが操作されると、
前記送り手側リモコンの制御部は、運転信号搬送波を受け手側リモコンに出力し、
該運転信号搬送波が入力された受け手側リモコンは、音声信号搬送波を送り手側リモコンのＦＭ復調部に向けて出力し、
該音声信号搬送波が入力された前記ＦＭ復調部は、該音声信号搬送波の検出信号を前記送り手側リモコンの制御部に出力し、
該検出信号が入力された前記制御部は、前記送り手側リモコンの演算増幅部をＯＮさせてインターホン通話回線を開通するようにしたことを特徴とするインターホン通話制御方法。
【発明の詳細な説明】
【技術分野】
【０００１】
本発明は、給湯器付き風呂装置に用いられる給湯器用リモートコントローラ（以下、リモコンと称する）システムに関する。また、その給湯器用リモコンシステムを備えた給湯器制御装置及びインターホン通話方法に関するものである。
【背景技術】
【０００２】
従来から、浴槽への差し湯や湯温調整等を遠隔操作するためのリモコンが、浴室内や台所等に複数備えられている給湯器付き風呂装置が存在する。近年、ユーザの利便性を向上させるために、給器付き風呂装置のリモコンにインターホン機能を設けたものが存在する。一般に、このようなインターホン機能としては、データ通信用の通信信号とインターホン用の音声信号とをそれぞれ所定のキャリア周波数に変調し、通信信号搬送波（通信キャリア）と音声信号搬送波（音声キャリア）として同一の回線に重畳して送受信させる変調方式を採用したものが多い。
【０００３】
この変調方式を採用したものには、台所リモコンのインターホンスイッチを押すと同時に、台所リモコンのインターホン送受信回路部が動作して、台所リモコンと浴室リモコンとコントローラとの間を運転信号搬送波と台所音声信号搬送波と浴室音声信号搬送波との３信号で、ビート波のレベルが最少になるように各信号の周波数を選択するようしたインターホン付きリモコンが開示されている（例えば、特許文献１）。
【０００４】
しかしながら、このインターホン付きリモコンは、ノイズ等の影響により２信号になってしまうと、バランスが崩れてしまい、レベルの大きなビート波が発生してしまっていた。その状態でインターホン通話が開通すると、３信号が発生するまでの間にインターホン送受信回路部は、発生したビート波を復調してしまうので、スピーカから雑音が発生してしまうことがあった。
そこで、インターホン通話回線が開通するまでの間に、発生してしまったビート波の復調信号をスピーカから出力しないようしたインターホン通話回線開通制御装置が開示されている（例えば、特許文献２）。
【０００５】
【特許文献１】特開２００１−１１９７６４号公報
【特許文献２】特開２００４−１０４２９０号公報
【発明の開示】
【発明が解決しようとする課題】
【０００６】
上記のインターホン通話回線開通制御装置は、音声増幅回路がキー操作音や音声案内を行う音声合成回路用の音声増幅回路と共通であった場合に、通話スイッチを操作してから相手側のリモコンが通話開始信号を受信して音声信号搬送波を出力するまでの間に、上記音声合成回路が動作すると、音声信号搬送波を未検出であるにもかかわらず音声増幅回路を動作させる必要があった。
【０００７】
すなわち、運転信号搬送波と台所音声信号搬送波と浴室音声信号搬送波との周波数が相異なる３信号での干渉で生じる、ビート波と呼ばれるノイズ成分が最小となるように各周波数を選択しているが、各搬送波が２信号であっても音声増幅回路が動作してしまい、ＦＭ復調ＩＣで復調されたレベルの大きなビート波を増幅してしまっていた。増幅されたビート波は、ノイズ音としてスピーカから出力されてしまい、使用者に不快感を与えるという問題点があった。
【０００８】
本発明は、上記の課題を解決するためになされたもので、インターホン通話用の音声増幅回路と音声合成回路用の音声増幅回路とが共通である場合に、インターホン通話用の音声増幅回路を制御することで、発生するビート波を復調しないようにしてノイズ音の発生を防止する給湯器用リモコンシステム及びそれを備えた給湯器制御装置及びインターホン通話方法を提供することを目的とする。
【課題を解決するための手段】
【０００９】
本発明に係る給湯器用リモコンシステムは、インターホンの音声信号を変調して得た音声信号搬送波と給湯器の運転信号を変調して得た運転信号搬送波とを同一の信号線に重畳して送受信し、インターホンの通話制御と給湯器の運転制御とを行う給湯器用リモコンシステムであって、該給湯器用リモコンシステムは複数のリモコンで構成されており、各リモコンに、音声信号搬送波を音声信号に復調するためのＦＭ復調部と、前記ＦＭ復調部で復調された音声信号を増幅するための演算増幅部と、前記演算増幅部の動作を制御することでインターホン通話回線の開通を制御する制御部とを備えたことを特徴とする。
【００１０】
また、本発明に係るインターホン通話制御方法は、インターホンの音声信号を変調して得た音声信号搬送波と給湯器の運転信号を変調して得た運転信号搬送波とを同一の信号線に重畳して送受信し、インターホンの通話制御と給湯器の運転制御とを行う給湯器用リモコンシステム間のインターホン通話制御方法であって、音声信号搬送波を音声信号に復調するためのＦＭ復調部と、前記ＦＭ復調部で復調された音声信号を増幅するための演算増幅部と、前記演算増幅部の動作を制御することでインターホン通話回線の開通を制御する制御部とを備え、送り手側リモコンが操作されると、前記送り手側リモコンの制御部は、運転信号搬送波を受け手側リモコンに出力し、該運転信号搬送波が入力された受け手側リモコンは、音声信号搬送波を送り手側リモコンのＦＭ復調部に向けて出力し、該音声信号搬送波が入力された前記ＦＭ復調部は、該音声信号搬送波の検出信号を前記送り手側リモコンの制御部に出力し、該検出信号が入力された前記制御部は、前記送り手側リモコンの演算増幅部をＯＮさせてインターホン通話回線を開通するようにしたことを特徴とする。
【発明の効果】
【００１１】
本発明に係る給湯器用リモコンシステムは、インターホンの音声信号を変調して得た音声信号搬送波と給湯器の運転信号を変調して得た運転信号搬送波とを同一の信号線に重畳して送受信し、インターホンの通話制御と給湯器の運転制御とを行う給湯器用リモコンシステムであって、該給湯器用リモコンシステムは複数のリモコンで構成されており、各リモコンに、音声信号搬送波を音声信号に復調するためのＦＭ復調部と、前記ＦＭ復調部で復調された音声信号を増幅するための演算増幅部と、前記演算増幅部の動作を制御することでインターホン通話回線の開通を制御する制御部とを備えたので、受け手側リモコンからの送信される音声信号搬送波を受信するまでは、演算増幅部を動作させずにインターホン通話待機状態としてビート波を復調することを防止することできる。したがって、ノイズの発生も防止することができる。
【００１２】
また、本発明に係るインターホン通話制御方法は、インターホンの音声信号を変調して得た音声信号搬送波と給湯器の運転信号を変調して得た運転信号搬送波とを同一の信号線に重畳して送受信し、インターホンの通話制御と給湯器の運転制御とを行う給湯器用リモコンシステム間のインターホン通話制御方法であって、各リモコンは、音声信号搬送波を音声信号に復調するためのＦＭ復調部と、前記ＦＭ復調部で復調された音声信号を増幅するための演算増幅部と、前記演算増幅部の動作を制御することでインターホン通話回線の開通を制御する制御部とを備え、送り手側リモコンが操作されると、前記送り手側リモコンの制御部は、運転信号搬送波を受け手側リモコンに出力し、該運転信号搬送波が入力された受け手側リモコンは、音声信号搬送波を送り手側リモコンのＦＭ復調部に向けて出力し、該音声信号搬送波が入力された前記ＦＭ復調部は、該音声信号搬送波の検出信号を前記送り手側リモコンの制御部に出力し、該検出信号が入力された前記制御部は、前記送り手側リモコンの演算増幅部をＯＮさせてインターホン通話回線を開通するようにしたので、上記と同様な効果を得ることが可能になる。
【発明を実施するための最良の形態】
【００１３】
以下、本発明の実施の形態について図に基づいて説明する。
図１は本発明の実施の形態に係る給湯器制御装置４０の回路ブロック図である。
この給湯器制御装置４０は、温水器本体１０と台所リモコン２０と浴室リモコン３０とが信号線２で接続されて構成されている。信号線２は、温水器本体１０と台所リモコン２０と浴室リモコン３０との間を送受信する音声信号搬送波（音声キャリア）と運転信号搬送波（運転信号キャリア）とを重畳して搬送するものである。この搬送波（キャリア）は、音声信号と運転信号とをそれぞれ所定の周波数に変調したものである。また、この信号線２はそれぞれ２本で構成されている。そして、台所リモコン２０と浴室リモコン３０とにより給湯器用リモコンシステム１が構成されている。
【００１４】
温水器本体１０は、マイクロコンピュータ（以下、マイコンとする）１１と、運転信号送受信部１２と、電源部１３とで構成されている。電源部１３は、温水器本体１０に電力を供給するものである。マイコン１１は、図示省略のバーナを燃焼させて台所や浴槽等へ湯水を供給する給湯制御や、浴槽の湯水を循環させて加熱する追い焚き制御等の給湯器制御装置４０の全体を制御するものである。運転信号送受信部１２は、各リモコン（台所リモコン２０、浴室リモコン３０）と運転信号通信を行なうものである。この運転信号送受信部１２は、運転信号受信部１２ａと、信号重畳部１２ｂと、運転信号送信部１２ｃとで構成されている。
【００１５】
信号重畳部１２ｂは、信号線２を重畳して搬送される運転信号搬送波を送受信するものである。各リモコンから送信された運転信号搬送波は、信号重畳部１２ｂが受信して運転信号受信部１２ａに伝達される。また、各リモコンに送信する運転信号搬送波は運転信号送信部１２ｃから信号重畳部１２ｂに伝達され各リモコンに送信される。運転信号受信部１２ａは、各リモコンから送信された運転信号搬送波をマイコン１１に伝達するものである。運転信号送信部１２ｃは、マイコン１１からの指示に基づいて各リモコンに運転信号搬送波を送信するものである。
【００１６】
台所リモコン２０は、マイコン２１と、運転信号送受信部２２と、電源部２３と、インターホン通話回路部２４と、音声合成部２５と、操作部２６とで構成されている。マイコン２１は、操作部２６から指示に基づいて浴室リモコン３０へ送信する各搬送波の制御や、温水器本体１０や浴室リモコン３０から送信されてきた各搬送波の制御等をするようになっている。運転信号送受信部２２は、温水器本体１０の運転信号送受信部１２と同様の機能を果たす。また、電源部２３は、温水器本体１０の電源部１３と同様の機能を果たす。
【００１７】
インターホン通話回路部２４は、マイクロフォン（以下、マイクとする）２４ｈと、マイク信号増幅部２４ｇと、ＦＭ変調部２４ｆと、ハイブリッド回路部２４ａと、ＦＭ復調部２４ｂと、演算増幅部２４ｃと、音声増幅部２４ｄとスピーカ２４ｅとから構成されている。このインターホン回路部２４は、マイク２４ｈから得られる音声信号をマイク信号増幅部２４ｇで増幅し、これをＦＭ変調部２４ｆで音声信号搬送波にＦＭ変調し、これをハイブリッド回路部２４ａに出力するようになっており、また、浴室リモコン３０から送信された音声信号搬送波をハイブリッド回路部２４ａで受信し、これをＦＭ復調部２４ｂで音声信号に復調し、演算増幅部２４ｃと音声増幅部２４ｄとで増幅してスピーカ２４ｅで音声に変換するようになっている。
【００１８】
音声合成部２５は、音声案内や操作音等の音声信号を発生するものである。この音声合成部２５で発生した音声信号は、音声増幅部２４ｄで増幅されてスピーカ２４ｅで音声に変換される。操作部２６は、給湯器制御装置４０を使用するユーザが、各種操作設定を行なうためのものである。またこの操作部２６には、通話スイッチ２７が備えられている。
【００１９】
浴室リモコン３０は、マイコン３１と、運転信号送受信部３２と、電源部３３と、インターホン回路部３４と、音声合成部３５と、操作部３６とで構成されている。また、運転信号送受信部３２は、温水器本体１０や台所リモコン２０の運転信号送受信部１２、運転信号送受信部２２と同様の機能を果たす。また、電源部２３は、温水器本体１０の電源部１３と同様の機能を果たす。
さらに、インターホン通話回路部３４は、マイク３４ｈと、マイク信号増幅部３４ｇと、ＦＭ変調部３４ｆと、ハイブリッド回路部３４ａと、ＦＭ復調部３４ｂと、演算増幅部３４ｃと、音声増幅部３４ｄと、スピーカ３４ｅとで構成されている。各構成部は上記台所リモコン２０を構成する各構成部と同様の機能を果たす。
なお、以上説明した各部は、通常、電気及び／または電子回路により構成される。
【００２０】
次に、インターホン通話回線を開通するための動作を説明する。ここでは、台所リモコン２０から浴室リモコン３０に通話を行なう場合を例に示す。台所リモコン２０の操作部２６に備えられている通話スイッチ２７が操作されると、操作部２６から通話スイッチＯＮ信号（Ｓ１）がマイコン２１に向けて出力される。通話スイッチＯＮ信号（Ｓ１）が入力されたマイコン２１は、通話開始信号（Ｓ２）を運転信号送受信部２２に向けて出力する。この通話開始信号（Ｓ２）は運転信号送受信部２２の運転信号送信部２２ｃに入力される。通話開始信号（Ｓ２）が入力された運転信号送信部２２ｃは、この通話開始信号（Ｓ２）を信号重畳部１２ｂに向けて出力する。通話開始信号（Ｓ２）が入力された信号重畳部１２ｂは、この通話開始信号（Ｓ２）を信号線２を介して浴室リモコン３０へと送信する。
【００２１】
台所リモコン２０から送信された通話開始信号（Ｓ２）は、浴室リモコン３０の運転信号送受信部３２が受信する。この通話開始信号（Ｓ２）は、運転信号送受信部３２の信号重畳部３２ｂに受信されて、運転信号受信部３２ａに出力される。通話開始信号（Ｓ２）が入力された運転信号受信部３２ａは、通話開始信号（Ｓ３）をマイコン３１に向けて出力する。この通話開始信号（Ｓ３）が入力されたマイコン３１は、インターホン通話回路部３４を動作させるようになっている。具体的には、マイコン３１は動作開始信号（Ｓ４）をインターホン通話回路部３４の演算増幅部３４ｃとＦＭ変調部３４ｆとに出力してインターホン通話回路部３４を動作させる。この動作開始信号（Ｓ４）が入力されたＦＭ変調部３４ｆは、音声信号を音声信号搬送波とする変調を開始する。そして、この音声信号搬送波（Ｓ５）は、ハイブリッド回路部３４ａに向けて出力される。音声信号搬送波（Ｓ５）が入力されたハイブリッド回路部３４ａは、この音声信号搬送波（Ｓ５）を台所リモコン２０に送信する。
【００２２】
浴室リモコン３０から送信された音声信号搬送波（Ｓ５）は、まず浴室リモコン３０のインターホン通話回路部２４のハイブリッド回路部２４ａが受信する。音声信号搬送波（Ｓ５）を受信したハイブリッド回路部２４ａは、音声信号搬送波（Ｓ６）をＦＭ復調部２４ｂに向けて出力する。音声信号搬送波（Ｓ６）が入力されたＦＭ復調部２４ｂは、搬送波検出信号（Ｓ７）をマイコン２１に向けて出力する。搬送波検出信号（Ｓ７）が入力されたマイコン３１は、インターホン通話回路部２４を動作させる。具体的には、マイコン３１は動作開始信号（Ｓ８）をインターホン通話回路部２４の演算増幅部２４ｃとＦＭ変調部２４ｆとに出力してインターホン通話回路部２４を動作させる。この動作開始信号（Ｓ８）が入力されたＦＭ変調部２４ｆは、音声信号を音声信号搬送波とする変調を開始する。そして、この音声信号搬送波（Ｓ９）は、ハイブリッド回路部２４ａに向けて出力される。音声信号搬送波（Ｓ９）が入力されたハイブリッド回路部２４ａは、この音声信号搬送波（Ｓ９）を浴室リモコン３０に送信する。
【００２３】
以上の動作に基づいて、台所リモコン２０と浴室リモコン３０とのインターホン通話回線が開通するようになっている。また、スイッチ操作音や音声案内等の音声の出力は、操作部２６からの指示を受けたマイコン２１が音声合成部出力指示信号（Ｓ１０）を音声合成部２５に向けて出力することにより行われる。具体的には、マイコン２１から出力された音声合成部出力指示信号（Ｓ１０）が音声合成部２５に入力されると、その音声合成部２５は音声合成出力信号（Ｓ１１）を音声増幅部２４ｄに出力し、この音声合成出力信号（Ｓ１１）が入力された音声増幅部２４ｄはその音声合成部出力信号（Ｓ１１）を増幅し、その後にスピーカ２４ｅで音声に変換されることで音声出力が行われる。
【００２４】
図２は、給湯器用リモコンシステム１における各リモコンのタイミングチャートである。
図２に基づいて、給湯器用リモコンシステム１の制御動作の詳細を説明する。ここでも、台所リモコン２０の操作部２６が操作されてインターホンを使用する場合を例に示す。
【００２５】
まず、台所リモコン２０の操作部２６に備えられた通話スイッチ２７が操作されると（Ｔ１）、操作部２６から通話スイッチＯＮ信号Ｓ１がマイコン２１に向けて出力される。この通話スイッチＯＮ信号が入力されたマイコン２１は、運転信号送受信部２２を介して浴室リモコン３０に向けて通話開始信号Ｓ２を送信する（Ｔ１〜Ｔ２）。この時点では、台所リモコン２０の演算増幅部２４ｃは動作を開始しておらず、インターホン通話回線は開通待機中である。
【００２６】
次に、浴室リモコン３０の運転信号送受信部３２が通話開始信号Ｓ２を受信すると、通話開始信号Ｓ３をマイコン３１に向けて出力する（Ｔ５〜Ｔ６）。この通話開始信号Ｓ３が入力されたマイコン３１は、演算増幅部３４ｃとＦＭ変調部３４ｆとに作動開始信号Ｓ４を出力する（Ｔ６）。この作動開始信号Ｓ４が入力された演算増幅部３４ｃとＦＭ変調部３４ｆとは動作を開始する。すなわち、インターホン通話回路部３４の動作が開始される。具体的には、ＦＭ変調回路３４ｆは音声信号を音声信号搬送波Ｓ５に変調して、その音声信号搬送波Ｓ５をハイブリッド回路部３４ａに向けて出力する。そして、ハイブリッド回路部３４ａは、音声信号搬送波Ｓ５を台所リモコン２０に向けて送信する（Ｔ６）。
【００２７】
この音声信号搬送波Ｓ５は、台所リモコン２０のインターホン通話回路部２４のハイブリッド回路部２４ａで受信される。音声信号搬送波Ｓ５を受信したハイブリッド回路部２４ａは、音声信号搬送波Ｓ６をＦＭ復調部２４ｂに向けて出力する（Ｔ６）。音声信号搬送波Ｓ６が入力されたＦＭ復調部２４ｂは、搬送波検出信号Ｓ７をマイコン２１に向けて出力する（Ｔ６）。搬送波検出信号Ｓ７が入力されたマイコン２１は、動作開始信号Ｓ８を演算増幅部２４ｃとＦＭ変調部２４ｆとに向けて出力する（Ｔ６）。この動作開始信号Ｓ８が入力された演算増幅部２４ｃとＦＭ変調部２４ｆとは動作を開始して、音声信号搬送波Ｓ９をハイブリッド回路部２４ａに向けて出力する（Ｔ６）。以上により、台所リモコン２０と浴室リモコン３０とのインターホン通話回線が開通する。
【００２８】
ここで、通話開始信号Ｓ２を浴室リモコン３０に送信したとき（Ｔ２）から、浴室リモコンからの音声信号搬送波Ｓ５を受信する（Ｔ６）までは、台所リモコン２０の演算増幅部２４ｃを動作させないようにマイコン２１が制御しているため、インターホン通話回線は、開通待機中状態である。つまり、音声合成部出力指示信号Ｓ１０が音声合成部２５に出力されても（Ｔ３）、また音声合成部２５から音声合成出力信号Ｓ１１が出力されて音声増幅部２４ｄを動作させても（Ｔ４）、演算増幅部２４ｃを動作させないように制御するので、ＦＭ復調部２４ｂにより復調されたビート波がスピーカ２４ｅから出力されることはない。したがって、ノイズが発生することを防止することが可能になっている。
【００２９】
上記実施の形態では、台所リモコン２０の通話スイッチ２７を操作してインターホン動作を行った場合を例に説明しているが、浴室リモコン３０の通話スイッチ３７を操作してインターホン動作を行うようにしても構わない。この場合は、台所リモコン２０と浴室リモコン３０とを逆にした動作となる。
【図面の簡単な説明】
【００３０】
【図１】本発明の実施の形態に係る給湯器制御装置の回路ブロック図である。
【図２】給湯器用リモコンシステムにおける各リモコンの動作タイミングチャートである。
【符号の説明】
【００３１】
１  給湯器用リモコンシステム、２  信号線、１０  温水器本体、１１  マイクロコンコンピュータ（制御部）、１２  運転信号送受信部、１３  電源部、１２ａ  運転信号受信部、１２ｂ  信号重畳部、１２ｃ  運転信号送信部、２０  台所リモコン、２１  マイクロコンピュータ（制御部）、２２  運転信号送受信部、２２ａ  運転信号受信部、２２ｂ  信号重畳部、２２ｃ  運転信号送信部、２３  電源部、２４  インターホン通話回路部、２４ａ  ハイブリッド回路部、２４ｂ  ＦＭ復調部、２４ｃ  演算増幅部、２４ｄ  音声増幅部、２４ｅ  スピーカ、２４ｆ  ＦＭ変調部、２４ｇ  マイク信号増幅部、２４ｈ  マイクロフォン、２５  音声合成部、２６  操作部、２７  通話スイッチ、３０  浴室リモコン、３１  マイクロコンピュータ（制御部）、３２  運転信号送受信部、３２ａ  運転信号受信部、３２ｂ  信号重畳部、３２ｃ  運転信号送信部、３３  電源部、３４  インターホン通話回路部、３４ａ  ハイブリッド回路部、３４ｂ  ＦＭ復調部、３４ｃ  演算増幅部、３４ｄ  音声増幅部、３４ｅ  スピーカ、３４ｆ  ＦＭ変調部、３４ｇ  マイク信号増幅部、３４ｈ  マイクロフォン、３５  音声合成部、３６  操作部、３７  通話スイッチ、４０  給湯器制御装置
【図１】
2006174360.tif 000003
【図２】
2006174360.tif 000004